(57)【特許請求の範囲】
【請求項１】
上下複数段に配置されてそれぞれ出退自在なプッシャーを使用して、ホッパーの下部出口から焼却炉に廃棄物を供給するに際し、
下段側プッシャーを突出移動させてごみを送り出す動作と、
下段側プッシャーをホッパーの出口内の後退限まで後退移動させる動作と、
廃棄物を落下待ちする第１待機時間の間上段側プッシャーを待機させる動作と、
後退位置の上段側プッシャーを下段側プッシャーの上面に沿ってその前端部近傍まで突出移動させて、下段側プッシャー上の廃棄物を下段側プッシャーの前部に押し出す動作と、
上段側プッシャーを後退限まで後退移動させる動作と、
廃棄物を落下待ちする第２待機時間の間下段側プッシャーを待機させる動作とを順次に繰り返して行い、
廃棄物の質が落下しやすい高圧縮性の場合には第１待機時間と第２待機時間とをそれぞれ短くし、廃棄物がの質廃棄物が落下しにくい低圧縮性の場合には第１待機時間と第２待機時間とをそれぞれ長くする
ことを特徴とする廃棄物の供給方法。
【請求項２】
ホッパーの下部出口に出退自在に配置されて廃棄物を焼却炉に押出すプッシャーを備えた廃棄物の供給装置であって、
プッシャーを上下に複数段に配置するとともに、各プッシャーをそれぞれ出退させる駆動装置を設け、
下段側プッシャーを突出移動させてごみを送り出す動作と、下段側プッシャーをホッパーの出口内の後退限まで後退移動させる動作と、廃棄物を落下待ちする第１待機時間の間上段側プッシャーを待機させる動作と、後退位置の上段側プッシャーを下段側プッシャーの上面に沿ってその前端部近傍まで突出移動させて、下段側プッシャー上の廃棄物を下段側プッシャーの前部に押し出す動作と、上段側プッシャーを後退限まで後退移動させる動作と、廃棄物を落下待ちする第２待機時間の間下段側プッシャーを待機させる動作とを順次に繰り返して行うプッシャー動作制御装置を設け、
前記プッシャー動作制御装置は、廃棄物の質が落下しやすい高圧縮性の場合には第１待機時間と第２待機時間とをそれぞれ短くし、廃棄物の質が落下しにくい低圧縮性の場合には第１待機時間と第２待機時間とをそれぞれ長くするように構成された
ことを特徴とする廃棄物の供給装置。
【発明の詳細な説明】
【０００１】
【発明の属する技術分野】
本発明は、廃棄物をホッパーからプッシャーにより焼却炉に送り出す廃棄物の供給方法および装置に関する。
【０００２】
【従来の技術】
従来、図７に示すように、ごみホッパー２１から焼却炉２２に投入する場合、単一または幅方向に並設されたプッシャー２３を出退駆動してごみを定量ずつ供給している。
【０００３】
【発明が解決しようとする課題】
近年、ダイオキシンの発生を防止するという観点から燃焼の安定性を向上させることに重点が置かれてごみ焼却炉が運転されているが、上記構成において、ごみ質が、圧縮性が低く下方に落ちにくい場合、プッシャー２３を後退した時に後退空隙２４にごみが落下せず、次のプッシャー２３の突出移動で所定量のごみを送り出すことができないという問題があった。このような場合、プッシャー２３のサイクル速度を上げても対応することができず、規定量のごみを供給できず、燃焼が不安定になることがあった。
【０００４】
本発明は、上記問題点を解決して、ごみ質に関係なくごみを精度よく安定して供給できる廃棄物の供給方法および装置を提供することを目的とする。
【０００５】
【課題を解決するための手段】
上記目的を達成するために本発明の請求項１記載の廃棄物の供給方法は、上下複数段に配置されてそれぞれ出退自在なプッシャーを使用して、ホッパーの下部出口から焼却炉に廃棄物を供給するに際し、下段側プッシャーを突出移動させてごみを送り出す動作と、下段側プッシャーをホッパーの出口内の後退限まで後退移動させる動作と、廃棄物を落下待ちする第１待機時間の間上段側プッシャーを待機させる動作と、後退位置の上段側プッシャーを下段側プッシャーの上面に沿ってその前端部近傍まで突出移動させて、下段側プッシャー上の廃棄物を下段側プッシャーの前部に押し出す動作と、上段側プッシャーを後退限まで後退移動させる動作と、廃棄物を落下待ちする第２待機時間の間下段側プッシャーを待機させる動作とを順次に繰り返して行い、廃棄物の質が落下しやすい高圧縮性の場合には第１待機時間と第２待機時間とをそれぞれ短くし、廃棄物がの質廃棄物が落下しにくい低圧縮性の場合には第１待機時間と第２待機時間とをそれぞれ長くするものである。
【０００６】
また、請求項２記載の廃棄物の供給装置は、ホッパーの下部出口に出退自在に配置されて廃棄物を焼却炉に押出すプッシャーを備えた廃棄物の供給装置であって、プッシャーを上下に複数段に配置するとともに、各プッシャーをそれぞれ出退させる駆動装置を設け、下段側プッシャーを突出移動させてごみを送り出す動作と、下段側プッシャーをホッパーの出口内の後退限まで後退移動させる動作と、廃棄物を落下待ちする第１待機時間の間上段側プッシャーを待機させる動作と、後退位置の上段側プッシャーを下段側プッシャーの上面に沿ってその前端部近傍まで突出移動させて、下段側プッシャー上の廃棄物を下段側プッシャーの前部に押し出す動作と、上段側プッシャーを後退限まで後退移動させる動作と、廃棄物を落下待ちする第２待機時間の間下段側プッシャーを待機させる動作とを順次に繰り返して行うプッシャー動作制御装置を設け、前記プッシャー動作制御装置は、廃棄物の質が落下しやすい高圧縮性の場合には第１待機時間と第２待機時間とをそれぞれ短くし、廃棄物の質が落下しにくい低圧縮性の場合には第１待機時間と第２待機時間とをそれぞれ長くするように構成されたものである。
【０００７】
上記各構成によれば、上段側プッシャーにより下段側プッシャー上の廃棄物を押し出して下段側プッシャーの前部に押し出すので、圧縮度が低く落下しにくい廃棄物であっても、第１待機時間により、下段側プッシャーが後退した時に生じる空隙を埋めることができ、次の下段側プッシャーの駆動により十分な廃棄物を確実に焼却炉に押し出して供給することができる。また変化する廃棄物の圧縮性、落下しやすさに応じて、上段側プッシャーの第１待機時間および下段側プッシャーの第２待機時間を調整するので、上段側プッシャーにより押し出された廃棄物が下段側プッシャーの前部の空隙に確実に落下して安定してから下段側プッシャーが突出移動され、廃棄物を確実に押し出して効率よく供給することができる。
【００１１】
【発明の実施の形態】
ここで、本発明に係る廃棄物の供給装置の実施の形態を図１〜図４に基づいて説明する。
【００１２】
図１，図２に示すように、この廃棄物供給装置は、たとえば火格子式ごみ焼却炉２に設置され、たとえば上下２段の上段プッシャー（上段側プッシャー）３Ｂおよび下段プッシャー（下段側プッシャー）３Ａを使用してごみホッパー１の下部出口１ａから廃棄物であるごみを所定量ずつ焼却炉２の火格子２ａ上に送り出すものである。
【００１３】
下段プッシャー３Ａは、下段駆動シリンダ４Ａにより後退限Ａから突出限Ｂまでの下段出退ストロークＬ１を間欠移動されて、下段プッシャー３Ａ前部の移動範囲にあるごみを所定量ずつ焼却炉２に送り出すことができる。
【００１４】
上段プッシャー３Ｂは、下段プッシャー３Ａ上のごみを下段プッシャー３Ａの前部に押出すためのもので、ホッパー出口１ａの前面部に対応する後退限ａから、下段プッシャー３Ａの突出限Ｂに対応する近傍位置たとえば面一となる突出限ｂまでの上段出退ストロークＬ２を間欠移動される。
【００１５】
これらプッシャー３Ａ，３Ｂは、油圧ポンプ５から油圧が下段切換弁６Ａおよび下段切換弁６Ｂを介してそれぞれ駆動シリンダ４Ａ，４Ｂに供給されてそれぞれ駆動され、タイマー内蔵のプッシャー動作制御装置７により、下段切換弁６Ａと下段切換弁６Ｂに操作信号がそれぞれ出力されて駆動制御される。このプッシャー動作制御装置７には、操作盤９から設定信号が入力されて手動により操作され、またごみ供給検出装置や炉内の燃焼状態を監視するセンサ類１０の検出信号に基づいて焼却炉２の燃焼制御を行う燃焼制御装置８からの信号により操作される。
【００１６】
次に、この廃棄物供給装置１の動作を図３，図４を参照して説明する。
まず、下段駆動シリンダ４Ａが伸展されて下段プッシャー３Ａが後退限Ａから突出限Ｂまで突出移動され、前方のごみが焼却炉２に押し出される(STEP.1)。この時、駆動シリンダ４Ａに内蔵されたセンサなどにより、下段プッシャー３Ａが突出限Ｂにあるのが確認される(STEP.2)。予めタイマーに設定された突出限停止時間Ｔ１が過ぎると、下段駆動シリンダ４Ａが収縮されて下段プッシャー３Ａが突出限Ｂから後退限Ａまで後退移動される(STEP.3)。
【００１７】
ここで下段プッシャー３Ａの上方および前方のごみを下降させて十分に安定させるための第１待機時間Ｗ１がタイマーにより設定されており、この第１待機時間Ｗ１の経過を確認(STEP.4)した後、上段駆動シリンダ４Ｂが伸展されて上段プッシャー３Ｂが後退限ａから突出限ｂまで移動され、下段プッシャー３Ａ上のごみを前方に押し出す(STEP.5)。この時、上段駆動シリンダ４Ｂに内蔵されたセンサなどにより、上段プッシャー３Ｂが突出限ｂにあるのが確認される(STEP.6)。これにより、下段プッシャー３Ａが後退した時に生じる前方空隙に十分なごみが下降しないことがあっても、この空隙が上段プッシャー３Ｂにより押し出されたごみに埋められることにより、次回の下段プッシャー３Ａの突出移動により十分な量のごみが焼却炉２に送り出される。
【００１８】
予めタイマーに設定された突出限停止時間Ｔ２が過ぎると、上段駆動シリンダ４Ｂが収縮されて上段プッシャー３Ｂが突出限ｂから後退限ａまで後退移動される(STEP.7)。さらに、下段プッシャー３Ａにより押し出されたごみが降下して空隙を埋めるためにタイマーに設定された落下待ち時間である第２待機時間Ｗ２の経過を確認(STEP.8)後、ＳＴＥＰ．１に戻り、これらの動作が繰り返される。
【００１９】
またプッシャー動作制御装置７により、ごみが下降しやすいかどうかを判別するごみの圧縮性の程度（ごみ質）に応じて、タイマーに設定された第１待機時間Ｗ１および第２待機時間Ｗ２が制御される。すなわち、作業員により焼却炉２の燃焼状態を目視や計器類の監視結果から、ごみの供給量の増減を判断してごみ質が下降しにくい低圧縮性であると判断した場合には、操作盤９により、プッシャー動作制御装置７を介して第１，第２待機時間Ｗ１，Ｗ２を延ばし、ごみが十分に下降されるだけの時間が確保されるようにそれぞれ制御される。反対に、ごみ質が下降しやすい高圧縮性の場合には、第１，第２待機時間Ｗ１，Ｗ２を短縮して必要以上のごみが供給されないようにそれぞれ制御される。
【００２０】
また、炉の燃焼状態を監視するセンサー類１０などの計測器の検出信号やごみの供給量を検出する検出装置などの監視データに基づいて、燃焼制御装置８により焼却炉２の運転状態が制御されて運転されており、この燃焼制御装置８からの出力信号に基づいてプッシャー動作制御装置７が操作される。すなわち、ごみ供給量が目標値よりも少ないと判断される場合には、第１，第２待機時間Ｗ１，Ｗ２が延長され、反対にごみ供給量が目標値よりも多いと判断される場合には、第１，第２待機時間Ｗ１，Ｗ２が短縮されるようにそれぞれ自動的に制御される。もちろん、プッシャー動作制御装置７および燃焼制御装置８により、必要に応じて上下段プッシャー３Ａ，３ＢのサイクルタイムＳや出退ストロークＬ１，Ｌ２も制御され、あるいは上段プッシャー３Ｂの動作が停止される。
【００２１】
上記実施の形態によれば、上段プッシャー３Ｂにより下段プッシャー３Ａの上方のごみを下段プッシャー３Ａの前方に押し出して空隙を埋めることができるので、下降しにくい低圧縮性のごみ質であっても、下段プッシャー３Ａにより十分な量のごみを確実に押し出して安定供給することができる。
【００２２】
またプッシャー動作制御装置７により、ごみの下降および安定を確保するための第１，第２待機時間Ｗ１，Ｗ２をごみ質に応じて制御することができるので、ごみを安定して正確に供給して焼却炉２の安定燃焼を実現できる。これにより、ダイオキシンの発生を抑制でき、また異常燃焼によるクリンカの発生やストーカの焼損などを防止できる。さらにこれらのトラブルによる炉の停止回数を低減できて、起動時に発生しやすいダイオキシンなど公害物質発生の抑制に寄与することができる。
【００２３】
図５は上下３段にプッシャー３Ａ，３Ｂ，３Ｃを配置した他の実施の形態を示すもので、最上段のプッシャー３Ｃは、中段のプッシャー３Ｂ上方のごみをその前方空隙に送り出すように構成される。上記構成によれば、先の実施の形態と同様の効果を奏するとともに、さらに圧縮性の低いごみ質であっても、より効果的にごみを押し出すことができる。
【００２４】
図６は、幅方向に２個の下段プッシャー３ＡＲ，３ＡＬ上に、それぞれ上段プッシャー３ＢＲ，３ＢＬを出退自在に配置したさらに他の実施の形態を示すもので、先の実施の形態の作用効果に加えて、幅方向に異なる動作でごみを送りだすことができ、大型の焼却炉に効果的にごみを供給することができる。
【００２５】
【発明の効果】
以上に述べたごとく本発明の請求項１または２記載の発明によれば、上段側プッシャーにより下段側プッシャー上の廃棄物を押し出して下段側プッシャーの前部に押し出すので、圧縮度が低く落下しにくい廃棄物であっても、第１待機時間により、下段側プッシャーが後退した時に生じる空隙を埋めることができ、次の下段側プッシャーの駆動により十分な廃棄物を確実に焼却炉に押し出して供給することができる。また変化する廃棄物の圧縮性、落下しやすさに応じて、上段側プッシャーの第１待機時間および下段側プッシャーの第２待機時間を調整するので、上段側プッシャーにより押し出された廃棄物が下段側プッシャーの前部の空隙に確実に落下して安定してから下段側プッシャーが突出移動され、廃棄物を確実に押し出して効率よく供給することができる。
【００２６】
さらに請求項２または４記載の発明によれば、支持刻々と変化する廃棄物の圧縮性、落下しやすさに応じて、下段プッシャーの落下待ち時間を調整するので、上段プッシャーにより押し出された廃棄物がプッシャーの前部の空隙に確実に落下して安定してから下段プッシャーが突出移動されるので、廃棄物を確実に押し出して効率よく供給することができる。
【図面の簡単な説明】
【図１】本発明に係る廃棄物供給装置の実施の形態を示す側面断面図である。
【図２】同廃棄物供給装置の平面断面図である。
【図３】同廃棄物供給装置のプッシャーの動作を説明するフローチャートである。
【図４】同廃棄物供給装置のプッシャーの動作を説明するタイムチャートである。
【図５】本発明に係る廃棄物供給装置の他の実施の形態を示す側面断面図である。
【図６】本発明に係る廃棄物供給装置のさらに他の実施の形態を示す平面断面図である。
【図７】従来の廃棄物供給装置を示す側面断面図である。
【符号の説明】
１    ごみホッパー
１ａ  出口
２    焼却炉
３Ａ  上段プッシャー
３Ｂ  下段プッシャー
４Ａ  上段駆動シリンダ
４Ｂ  下段駆動シリンダ
６Ａ  上段切換弁
６Ｂ  下段切換弁
７    プッシャー動作制御装置
８    燃焼制御装置
３Ｃ  最上段プッシャー
３ＡＲ，３ＡＬ  下段プッシャー
３ＢＲ，３ＢＬ  上段プッシャー
【図１】
0003830281.tif 000002
【図２】
0003830281.tif 000003
【図３】
0003830281.tif 000004
【図４】
0003830281.tif 000005
【図５】
0003830281.tif 000006
【図６】
0003830281.tif 000007
【図７】
0003830281.tif 000008